【手続補正書】
【提出日】令和3年7月28日(2021.7.28)
【手続補正１】
【補正対象書類名】特許請求の範囲
【補正対象項目名】全文
【補正方法】変更
【補正の内容】
【特許請求の範囲】
【請求項１】
好ましくは食料製品を収容するためのパッケージ（１）を、一回操作により形成するよう構成された複合体（１００）であって、
・折り曲げられるよう構成された少なくとも第一ダイカットフラットシート（１０）であって、外輪郭（１０．１．１）と内輪郭（１０．１．２）とによって画定される連続する第一周縁部（１０．１）を含み、前記内輪郭（１０．１．２）が第一部分（１０．１．２．１）を含み、前記外輪郭（１０．１．１）が第二部分（１０．１．１．１）を含み、前記第一部分（１０．１．２．１）および第二部分（１０．１．１．１）が互いに対応し、
ここで、前記少なくとも第一シート（１０）が、さらに前記外輪郭（１０．１．１）の前記第二部分（１０．１．１．１）と反対方向に前記内輪郭（１０．１．２）の前記第一部分（１０．１．２．１）に沿って延在する少なくとも第一主要フラップ（１０．２）を含み、当該第一主要フラップ（１０．２）が、前記パッケージ（１）の壁部（１．３）を形成するために構成されたものである、
少なくとも第一ダイカットフラットシート（１０）と；
・少なくとも一つの追加のフラットシートを含むアセンブリ（６０）であって、前記少なくとも一つの追加のフラットシートの前記周囲が、前記第一フラットシート（１０）の前記第一周縁部（１０．１）によって画定される、アセンブリ（６０）と、
を含み、
ここで、前記アセンブリ（６０）の前記少なくとも一つの追加のフラットシートの少なくとも一つが、少なくとも、第二ダイカットフラットシート（２０）であって、当該第二ダイカットフラットシートは折り曲げられるよう構成され、かつ第二周縁部（２０．１）を含み、当該第二周縁部の外輪郭（２０．１．１）がその周囲の限界を定めるものであり、
前記第二ダイカットフラットシート（２０）がさらに、
・前記パッケージ（１）の底面（１．２）を形成するために構成された第二主要フラップ（２０．２）を少なくとも含む
ことを特徴とする、連続して積み重ねられたフラットシートで構成される複合体（１００）。
【請求項２】
前記少なくとも第一ダイカットフラットシート（１０）がさらに、前記第一主要フラップ（１０．２）に接続されかつ前記パッケージ（１）の前記底面（１．２）の一部であるように構成された、少なくとも第一補助フラップ（１０．３）を含むことを特徴とする、請求項１に記載の、フラットシートで構成される複合体（１００）。
【請求項３】
前記少なくとも第二ダイカットフラットシート（２０）がさらに、前記第二主要フラップ（２０．２）と前記第二周縁部（２０．１）との間に位置された少なくとも第二補助フラップ（２０．３）を含むことを特徴とする、請求項１または２に記載の、フラットシートで構成される複合体（１００）。
【請求項４】
前記少なくとも第二ダイカットフラットシート（２０）の少なくとも第二補助フラップ（２０．３）が、前記第二周縁部（２０．１）の前記内輪郭（２０．１．２）との脆弱なアタッチメントを含むことを特徴とする、請求項３に記載の、フラットシートで構成される複合体（１００）。
【請求項５】
前記アセンブリ（６０）の前記少なくとも一つの追加のフラットシートの少なくとも一つが、前記パッケージ（１）の前記内張りを形成するために構成された熱可塑性材料で作製された少なくとも一つのフラットシート（４０）を含むことを特徴とする、請求項１〜４のいずれか一項に記載の、フラットシートで構成される複合体（１００）。
【請求項６】
前記アセンブリ（６０）の前記少なくとも一つの追加のフラットシートの少なくとも一つが、その内輪郭（３０．１．２）上に角部を有する第三周縁部（３０．１）を含む、折り曲げられるために構成された少なくとも第三ダイカットフラットシート（３０）を含み、その外輪郭（３０．１．１）が、その周囲を画定し、前記少なくとも第三シート（３０）がさらに、
・前記内輪郭（３０．１．２）の前記角部の一つに対して実質的に対角にあり、前記第三周縁部（３０．１）の第一部分（３０．１．２．１）によって前記第三周縁部（３０．１）と接続された、少なくとも第三主要フラップ（３０．２）であって、前記主要フラップ（３０．２）が前記パッケージ（１）の少なくとも一つの面取り角部（１．４）を形成するために構成される、少なくとも第三主要フラップ（３０．２）
を含むことを特徴とする、請求項１〜５のいずれか一項に記載の、フラットシートで構成される複合体（１００）。
【請求項７】
少なくとも第三主要フラップ（３０．２）がさらに、前記少なくとも第三主要フラップ（３０．２）の第二端部（３０．２．２）に位置された少なくとも第三補助フラップ（３０．３）を含み、前記第三補助フラップ（３０．３）が、前記少なくとも第一補助フラップ（１０．３）および／または主要フラップ（１０．２）上、ならびに／あるいは前記少なくとも第二補助フラップ（２０．３）および／または主要フラップ（２０．２）上に支持されるために構成されることを特徴とする、請求項６に記載の、フラットシートで構成される複合体（１００）。
【請求項８】
前記アセンブリ（６０）の前記少なくとも一つの追加のフラットシートの少なくとも一つが、前記パッケージ（１）が形成されたとき、前記パッケージ（１）に収容された品物（２）が覆われるような蓋を形成するために構成されたフラットシート（５０）であり、前記フラットシート（５０）は、好ましくは、熱可塑性材料で作製されていることを特徴とする、請求項１〜７のいずれか一項に記載の、フラットシートで構成される複合体（１００）。
【請求項９】
前記複合体（６０）がさらに、前記アセンブリ（６０）の前記少なくとも第一フラットシート（１０）上および／または前記少なくとも一つのフラットシート上に位置された取着手段（３）を含むことを特徴とする、請求項１〜８のいずれか一項に記載の、フラットシートで構成される複合体（１００）。
【請求項１０】
前記取着手段（３）が、熱接着剤、好ましくは熱可塑性接着剤であることを特徴とする、請求項９に記載の、フラットシートで構成される複合体（１００）。
【請求項１１】
熱可塑性材料で作製された前記少なくとも一つのフラットシート（４０）上に位置された前記取着手段（３）が、強力な接着剤であり、前記接着剤が、それぞれ、前記第一周縁部（１０．１）上のみに、または熱可塑性材料で作製された前記フラットシート（４０）の前記周囲（４０．１）に隣接して位置され、それにより前記フラットシート（４０）は前記パッケージに前記強力な接着剤により取着され、またフラットシート（５０）の剥離または除去は、通常の条件下において行われることを特徴とする、請求項５、８、および１０に記載の、フラットシートで構成される複合体（１００）。
【請求項１２】
前記少なくとも第一ダイカットフラットシート（１０）、および／または前記少なくとも第二ダイカットフラットシート（２０）のうちの少なくとも一つが、セルロース材料、例えば、紙、プレスボード、または段ボールから製造されることを特徴とする、請求項１〜１１のいずれか一項に記載の、フラットシートで構成される複合体（１００）。
【請求項１３】
前記少なくとも第三ダイカットフラットシート（３０）が、セルロース材料、例えば、紙、プレスボード、または段ボールから製造されることを特徴とする、請求項１〜１２のいずれか一項に記載の、フラットシートで構成される複合体（１００）。
【請求項１４】
前記少なくとも第一シート（１０）が、その外輪郭（１０．１．１）により、折り曲げ可能な方式において、前記アセンブリ（６０）の少なくとも一つの追加のフラットシートの前記周囲に取着され、それにより前記シートらが折り曲げ可能なアタッチメントに沿ってそれらの曲げによって積み重ねられることを特徴とする、請求項１〜１３のいずれか一項に記載の、フラットシートで構成される複合体（１００）。
【請求項１５】
連続して積み重ねられたフラットシートで構成される複合体（１００）を得る方法であって、前記複合体（１００）が一回操作によりパッケージ（１）を形成するよう構成され、以下の工程：
ａ）内輪郭（１０．１．２）および外輪郭（１０．１．１）によって画定される第一周縁部（１０．１）を含む、折り曲げるために構成された少なくとも第一ダイカットフラットシート（１０）を用意する工程と
ｂ）その前記周囲が前記第一フラットシート（１０）の前記第一周縁部（１０．１）によって画定される少なくとも一つの追加のフラットシートを含むアセンブリ（６０）を用意する工程と、
を含み、
ここで、前記アセンブリ（６０）の前記少なくとも一つの追加のフラットシートの少なくとも一つが、少なくとも、第二ダイカットフラットシート（２０）であって、当該第二ダイカットフラットシートは折り曲げられるよう構成され、かつ第二周縁部（２０．１）を含み、当該第二周縁部の外輪郭（２０．１．１）がその周囲の限界を定めるものであり、
前記第二ダイカットフラットシート（２０）がさらに、
・前記パッケージ（１）の底面（１．２）を形成するために構成された第二主要フラップ（２０．２）を少なくとも含む
ことを特徴とする方法。
【請求項１６】
さらに、以下の工程：
ｃ）取着手段（３）を用意する工程と；
ｄ）前記取着手段（３）を前記第一フラットシート（１０）の少なくとも前記第一周縁部（１０．１）上に位置し、少なくとも一つの追加のシートを、その周囲を前記第一フラットシート（１０）の内輪郭（１０．１．２）と外輪郭（１０．１．１）との間に一致させることによって前記第一フラットシート（１０）上に位置決めする工程と、
を含むことを特徴とする、請求項１５に記載のフラットシートで構成される複合体（１００）を得る方法。
【請求項１７】
以下の工程：
ａ）請求項１に記載の、フラットシートで構成される複合体（１００）、または請求項１５に従って得られる複合体（１００）を用意する工程と；
ｂ）フラットシートを加圧成形するために構成された鋳型（４）およびピストン（５）を用意する工程と；
ｃ）前記パッケージ（１）の前記第一フラットシート（１０）の前記第一周縁部（１０．１）を前記鋳型（４）上に位置決めする工程と；
ｄ）前記アセンブリ（６０）の少なくとも一つの追加のフラットシートの中央に作用する前記ピストン（５）を導入する工程と；
ｅ）前記パッケージ（１）の深さの所定の高さが達成されると、前記ピストンの前記導入を止める工程と、
を含むことを特徴とする、品物（２）、好ましくは食料製品を収容するためのパッケージ（１）を製造する方法。
【請求項１８】
以下の工程：
ｉ．請求項１７の前記方法に従って製造されたパッケージ（１）を用意する工程と；
ｉｉ．前記パッケージ（１）の内側に少なくとも一つの品物（２）を導入する工程と；
ｉｉｉ．その上に、前記第一シート（１０）の前記第一周縁部（１０．１）によって限界を定められる値を有する周囲（５０．１）を含む蓋（５０）を位置決めする工程と；
ｉｖ．前記アセンブリ（６０）の少なくとも一つの追加のフラットシートと前記蓋（５０）との前記取着を生じさせることによって、前記第一フラットシート（１０）の前記第一周縁部（１０．１）に沿って取着する工程であって、それにより、前記パッケージ（１）の前記内側が漏れ防止性となる、工程と、
を含むことを特徴とする、少なくとも一つの品物（２）、好ましくは食料製品を包装する方法。
【請求項１９】
決定された雰囲気または真空が工程ｉｉ）の後に適用され、それは、調整雰囲気での、またはパッケージ内の真空においての包装を実現し、工程ｉｖ）の後に前記パッケージを漏れ防止性にすることによってそれらの漏れまたは損失を防ぐことを特徴とする、請求項１８に記載の方法。